(57)【要約】【課題】この発明は、携帯型の放送受信装置に対して受信状態の安定化を図り得るとともに、小型化を促進して実用化に好適し得るクレードル、高周波受信システム及び高周波受信方法を提供することを目的としている。【解決手段】クレードル１６に放送受信端末１３を装着し、外部アンテナ１８ａ，１８ｂで受信した高周波信号を輻射部３３ａ，３３ｂで輻射して、放送受信端末１３の内部アンテナ２８ａ，２８ｂに受信させるシステムである。この場合、クレードル１６に放送受信端末１３が装着されている場合と、装着されていない場合とで、輻射部３３ａ，３３ｂから輻射される高周波信号のレベルを変化させる。【選択図】    図６
2005109676.tif 000002
【特許請求の範囲】
【請求項１】
高周波信号を受信する第１及び第２のコネクタと、
この第１及び第２のコネクタで受信された高周波信号をそれぞれレベル制御する第１及び第２のレベル制御部と、
この第1及び第２のレベル制御部でレベル制御された高周波信号をそれぞれ輻射する第１及び第２の輻射部と、
映像信号を受信するための露出された映像入力端子と、
この映像入力端子に入力された映像信号に所定の信号処理を施す信号処理部と、
この信号処理部で処理された映像信号を出力するための映像出力端子と、
電源電力を受けるための電源入力端子と、
この電源入力端子に供給された電源電力に基づいて前記第１及び第２のレベル制御部、前記第１及び第２の輻射部及び前記信号処理部に供給する電力を生成する電源部と、
この電源部で生成された電力を出力するための露出された電源出力端子と、
この電源出力端子における電流の有無に基づいて、本体機器の装着の有無を検出する検出手段と、
この検出手段により前記本体機器が装着されていることが検出された状態で、前記第１及び第２のレベル制御部に対して高周波信号を第１のレベルにレベル制御させ、前記検出手段により前記本体機器が装着されていないことが検出された状態で、前記第１及び第２のレベル制御部に対して高周波信号を前記第１のレベルよりも高い第２のレベルにレベル制御させるように制御する制御手段とを具備したことを特徴とするクレードル。
【請求項２】
高周波信号を受信する第１及び第２のコネクタと、
この第１及び第２のコネクタで受信された高周波信号をそれぞれレベル制御する第１及び第２のレベル制御部と、
この第1及び第２のレベル制御部でレベル制御された高周波信号をそれぞれ輻射する第１及び第２の輻射部と、
映像信号を受信するための露出された映像入力端子と、
この映像入力端子に入力された映像信号に所定の信号処理を施す信号処理部と、
この信号処理部で処理された映像信号を出力するための映像出力端子と、
電源電力を受けるための電源入力端子と、
この電源入力端子に供給された電源電力に基づいて前記第１及び第２のレベル制御部、前記第１及び第２の輻射部及び前記信号処理部に供給する電力を生成する電源部と、
この電源部で生成された電力を出力するための露出された電源出力端子と、
本体機器の装着されている状態で第１の操作状態に制御され、前記本体機器の装着されていない状態で第２の操作状態に制御される操作手段と、
この操作手段が第１の操作状態に制御された状態で、前記第１及び第２のレベル制御部に対して高周波信号を第１のレベルにレベル制御させ、前記操作手段が第２の操作状態に制御された状態で、前記第１及び第２のレベル制御部に対して高周波信号を前記第１のレベルよりも高い第２のレベルにレベル制御させるように制御する制御手段とを具備したことを特徴とするクレードル。
【請求項３】
高周波信号を受信する第１及び第２の外部アンテナと、
この第１及び第２の外部アンテナで受信された高周波信号をそれぞれ前記第１及び第２のコネクタに導く第１及び第２のケーブルとを具備したことを特徴とする請求項１または２記載のクレードル。
【請求項４】
高周波信号を受信する第１及び第２の外部アンテナと、
この第１及び第２の外部アンテナで受信された高周波信号をそれぞれレベル制御する第１及び第２のレベル制御部と、
この第１及び第２のレベル制御部でレベル制御された高周波信号をそれぞれ伝送する第１及び第２のケーブルと、
この第１及び第２のケーブルがそれぞれ接続され、該第１及び第２のケーブルで伝送された高周波信号を受信する第１及び第２のコネクタと、
この第１及び第２のコネクタで受信された高周波信号をそれぞれ輻射する第１及び第２の輻射部と、
映像信号を受信するための露出された映像入力端子と、
この映像入力端子に入力された映像信号に所定の信号処理を施す信号処理部と、
この信号処理部で処理された映像信号を出力するための映像出力端子と、
電源電力を受けるための電源入力端子と、
この電源入力端子に供給された電源電力に基づいて前記第１及び第２のレベル制御部、前記第１及び第２の輻射部及び前記信号処理部に供給する電力を生成する電源部と、
この電源部で生成された電力を出力するための露出された電源出力端子とを具備したことを特徴とするクレードル。
【請求項５】
前記第１及び第２のレベル制御部は、それぞれ高周波信号のレベルを変化させるための第１及び第２の操作子を備えることを特徴とする請求項４記載のクレードル。
【請求項６】
高周波信号を受信する第１及び第２のコネクタと、この第１及び第２のコネクタで受信された高周波信号をそれぞれレベル制御する第１及び第２のレベル制御部と、この第1及び第２のレベル制御部でレベル制御された高周波信号をそれぞれ輻射する第１及び第２の輻射部と、映像信号を受信するための露出された映像入力端子と、この映像入力端子に入力された映像信号に所定の信号処理を施す第１の信号処理部と、この第１の信号処理部で処理された映像信号を出力するための第１の映像出力端子と、電源電力を受けるための電源入力端子と、この電源入力端子に供給された電源電力に基づいて前記第１及び第２のレベル制御部、前記第１及び第２の輻射部及び前記第１の信号処理部に供給する電力を生成する第１の電源部と、この第１の電源部で生成された電力を出力するための露出された電源出力端子と、この電源出力端子における電流の有無に基づいて、高周波受信装置の装着の有無を検出する検出手段と、この検出手段により前記高周波受信装置が装着されていることが検出された状態で、前記第１及び第２のレベル制御部に対して高周波信号を第１のレベルにレベル制御させ、前記検出手段により前記高周波受信装置が装着されていないことが検出された状態で、前記第１及び第２のレベル制御部に対して高周波信号を前記第１のレベルよりも高い第２のレベルにレベル制御させるように制御する制御手段とを有するクレードルと、
前記第１及び第２の輻射部から輻射された高周波信号をそれぞれ受信する第１及び第２のアンテナと、この第１及び第２のアンテナで受信された高周波信号から映像信号を復元する第２の信号処理部と、この第２の信号処理部で復元された映像信号を表示する表示部と、前記映像入力端子に接触され前記第２の信号処理部で復元された映像信号を前記映像入力端子に出力するための露出された第２の映像出力端子と、前記電源出力端子に接触されて電源電力を受けるための露出された電源入力端子と、この電源入力端子に供給された電源電力に基づいて前記第２の信号処理部及び表示部に供給する電力を生成する第２の電源部とを有する高周波受信装置とを具備したことを特徴とする高周波受信システム。
【請求項７】
高周波信号を受信する第１及び第２のコネクタと、この第１及び第２のコネクタで受信された高周波信号をそれぞれレベル制御する第１及び第２のレベル制御部と、この第1及び第２のレベル制御部でレベル制御された高周波信号をそれぞれ輻射する第１及び第２の輻射部と、映像信号を受信するための露出された映像入力端子と、この映像入力端子に入力された映像信号に所定の信号処理を施す第１の信号処理部と、この第１の信号処理部で処理された映像信号を出力するための第１の映像出力端子と、電源電力を受けるための電源入力端子と、この電源入力端子に供給された電源電力に基づいて前記第１及び第２のレベル制御部、前記第１及び第２の輻射部及び前記第１の信号処理部に供給する電力を生成する第１の電源部と、この第１の電源部で生成された電力を出力するための露出された電源出力端子と、高周波受信装置の装着されている状態で第１の操作状態に制御され、前記高周波受信装置の装着されていない状態で第２の操作状態に制御される操作手段と、この操作手段が第１の操作状態に制御された状態で、前記第１及び第２のレベル制御部に対して高周波信号を第１のレベルにレベル制御させ、前記操作手段が第２の操作状態に制御された状態で、前記第１及び第２のレベル制御部に対して高周波信号を前記第１のレベルよりも高い第２のレベルにレベル制御させるように制御する制御手段とを有するクレードルと、
前記第１及び第２の輻射部から輻射された高周波信号をそれぞれ受信する第１及び第２のアンテナと、この第１及び第２のアンテナで受信された高周波信号から映像信号を復元する第２の信号処理部と、この第２の信号処理部で復元された映像信号を表示する表示部と、前記映像入力端子に接触され前記第２の信号処理部で復元された映像信号を前記映像入力端子に出力するための露出された第２の映像出力端子と、前記電源出力端子に接触されて電源電力を受けるための露出された電源入力端子と、この電源入力端子に供給された電源電力に基づいて前記第２の信号処理部及び表示部に供給する電力を生成する第２の電源部とを有する高周波受信装置とを具備したことを特徴とする高周波受信システム。
【請求項８】
高周波信号を受信する第１及び第２の外部アンテナと、この第１及び第２の外部アンテナで受信された高周波信号をそれぞれレベル制御する第１及び第２のレベル制御部と、この第１及び第２のレベル制御部でレベル制御された高周波信号をそれぞれ伝送する第１及び第２のケーブルと、この第１及び第２のケーブルがそれぞれ接続され、該第１及び第２のケーブルで伝送された高周波信号を受信する第１及び第２のコネクタと、この第１及び第２のコネクタで受信された高周波信号をそれぞれ輻射する第１及び第２の輻射部と、映像信号を受信するための露出された映像入力端子と、この映像入力端子に入力された映像信号に所定の信号処理を施す第１の信号処理部と、この第１の信号処理部で処理された映像信号を出力するための第１の映像出力端子と、電源電力を受けるための電源入力端子と、この電源入力端子に供給された電源電力に基づいて前記第１及び第２のレベル制御部、前記第１及び第２の輻射部及び前記第１の信号処理部に供給する電力を生成する第１の電源部と、この第１の電源部で生成された電力を出力するための露出された電源出力端子とを有するクレードルと、
前記第１及び第２の輻射部から輻射された高周波信号をそれぞれ受信する第１及び第２のアンテナと、この第１及び第２のアンテナで受信された高周波信号から映像信号を復元する第２の信号処理部と、この第２の信号処理部で復元された映像信号を表示する表示部と、前記映像入力端子に接触され前記第２の信号処理部で復元された映像信号を前記映像入力端子に出力するための露出された第２の映像出力端子と、前記電源出力端子に接触されて電源電力を受けるための露出された電源入力端子と、この電源入力端子に供給された電源電力に基づいて前記第２の信号処理部及び表示部に供給する電力を生成する第２の電源部とを有する高周波受信装置とを具備したことを特徴とする高周波受信システム。
【請求項９】
前記第１及び第２のレベル制御部は、それぞれ高周波信号のレベルを変化させるための第１及び第２の操作子を備えることを特徴とする請求項８記載の高周波受信システム。
【請求項１０】
前記クレードルに前記高周波受信装置が装着された状態で、前記第１及び第２のアンテナと前記第１及び第２の輻射部とは、所定の間隔を開けて面対向されることを特徴とする請求項６乃至９いずれかに記載の高周波受信システム。
【請求項１１】
前記クレードルに前記高周波受信装置が装着された状態で、前記第１及び第２のアンテナと前記第１及び第２の輻射部とは、互いの一部が重なり合うように面対向されることを特徴とする請求項６乃至９いずれかに記載の高周波受信システム。
【請求項１２】
前記クレードルに前記高周波受信装置が装着された状態で、前記第１及び第２のアンテナと前記第１及び第２の輻射部とは、互いに異なる面方向を向くように設置されることを特徴とする請求項６乃至９いずれかに記載の高周波受信システム。
【請求項１３】
クレードルが、第１及び第２のコネクタで受信した高周波信号をそれぞれレベル制御して輻射する工程と、
高周波受信装置が、前記クレードルが輻射した高周波信号をそれぞれ受信して映像信号を復元し出力する工程と、
前記クレードルが、前記高周波受信装置が出力した映像信号に所定の信号処理を施して出力する工程と、
前記クレードルが、入力された電源電力に基づいて該クレードルで使用する電力を生成するとともに、前記高周波受信装置に電力を出力する工程と、
前記クレードルが、前記高周波受信装置に出力する電流の有無に基づいて、前記高周波受信装置の装着の有無を検出する工程と、
前記クレードルが、前記高周波受信装置が装着されていることが検出された状態で、高周波信号を第１のレベルにレベル制御し、前記高周波受信装置が装着されていないことが検出された状態で、高周波信号を前記第１のレベルよりも高い第２のレベルにレベル制御する工程とを具備したことを特徴とする高周波受信方法。
【請求項１４】
クレードルが、第１及び第２のコネクタで受信した高周波信号をそれぞれレベル制御して輻射する工程と、
高周波受信装置が、前記クレードルが輻射した高周波信号をそれぞれ受信して映像信号を復元し出力する工程と、
前記クレードルが、前記高周波受信装置が出力した映像信号に所定の信号処理を施して出力する工程と、
前記クレードルが、入力された電源電力に基づいて該クレードルで使用する電力を生成するとともに、前記高周波受信装置に電力を出力する工程と、
前記クレードルが、前記高周波受信装置の装着されている状態で第１の操作状態に制御され、前記高周波受信装置の装着されていない状態で第２の操作状態に制御される操作手段が第１の操作状態に制御された状態で、高周波信号を第１のレベルにレベル制御し、前記操作手段が第２の操作状態に制御された状態で、高周波信号を前記第１のレベルよりも高い第２のレベルにレベル制御する工程とを具備したことを特徴とする高周波受信方法。
【請求項１５】
第１及び第２の外部アンテナで受信した高周波信号をそれぞれレベル制御し、第１及び第２のケーブルを介して、クレードルの第１及び第２のコネクタに供給する工程と、
前記クレードルが、第１及び第２のコネクタで受信した高周波信号をそれぞれ輻射する工程と、
高周波受信装置が、前記クレードルが輻射した高周波信号をそれぞれ受信して映像信号を復元し出力する工程と、
前記クレードルが、前記高周波受信装置が出力した映像信号に所定の信号処理を施して出力する工程と、
前記クレードルが、入力された電源電力に基づいて該クレードルで使用する電力を生成するとともに、前記高周波受信装置に電力を出力する工程とを具備したことを特徴とする高周波受信方法。
【発明の詳細な説明】
【技術分野】
【０００１】
この発明は、特に衛星デジタル放送を受信する携帯用の放送受信端末等に使用して好適する高周波受信装置を装着するためのクレードルに関する。さらに、この発明は、上記したクレードルを含む高周波受信システム及び高周波受信方法に関する。
【背景技術】
【０００２】
周知のように、現在では、２．６ＧＨｚ帯を使用した衛星デジタル放送システムが開発されている。この衛星デジタル放送システムは、日本で初めての、移動体や携帯受信機を主なサービス対象とするデジタル放送となる。
【０００３】
この衛星デジタル放送システムは、高音質のデジタル音声放送という位置付けの他、簡易動画を含むマルチメディアコンテンツを、移動体受信機に向けて配信可能な放送メディアとして大きく期待されている。
【０００４】
他の新しいメディアとしては、固定受信用に回線設計された地上デジタル放送システムが予定されている。ところが、このシステムは、受信可能範囲が限られており、送信アンテナに近い場所での使用が前提となる。しかしながら、衛星デジタル放送システムは、その名の通り静止衛星が見えるところであれば、日本全国で受信可能となる。
【０００５】
ここで、現状における携帯型端末に対しては、据え置き型の架台筐体（クレードル）、外部からの電源供給システム、他の機器との間での情報の共有化及びデータのやり取りを主としたインターフェース等を設けることにより、各種の付加機能を与える技術が定着しつつある。
【０００６】
そして、このような各種の付加機能の中でも、携帯型の放送受信装置にとって重要となるものは、特に屋内等の電波の到来し難い場所において受信信号の安定化を図るために、外部から受信装置に高周波信号を供給する機能である。
【０００７】
受信装置に外部から高周波信号を供給するためには、受信装置に外部アンテナを接続する手法がある。この場合、受信装置の利便性を考慮して、外部アンテナは、状況に応じて着脱できることを前提とし、コネクタ等を介して接続されることになる。
【０００８】
この場合、受信装置には、その内蔵された高周波回路の信号入力部に、内蔵アンテナで受信した高周波信号と外部アンテナから供給された高周波信号とを切り替える回路を設置することも必要となる。
【０００９】
しかしながら、衛星からの極めて微弱な放送波を受信するシステムにおいて、信号の損失を伴なう部品及び回路等を高周波回路の信号入力部に設けることは、受信信号の劣化を招く要素となる。また、小型化を要する携帯型の受信装置にとって、これらのコネクタ及び切り替え回路が占有するスペースを設ける構成は、実用化に不向きとなる。
【００１０】
また、屋内等の不安定な受信環境下における受信状態の改善手法として、再送信装置の設置も考えられている。この再送信装置は、高周波信号を受信した後、その信号を増幅して、受信装置に向けて送信するものである。
【００１１】
微弱な信号しか受信できない家屋においても、比較的受信環境が安定している窓際やベランダ等にこの再送信装置を設置することによって、屋内での受信に対して改善を図ることができる。
【００１２】
この場合、再送信装置からの送信出力を大きくすることにより、受信環境の安定化を図ることができる。ところが、日本国内においては、他の周辺機器に妨害を与える可能性がある無線局からの輻射レベルに対し、電波法施行規則第６条「免許を要しない無線局」によって上限が定められている。
【００１３】
２．６ＧＨｚ帯の衛星デジタル放送システムにおいて、再送信装置を使用するのは、無線局運用免許等を所持していない一般ユーザーである。そして、それぞれのユーザーの使用場所によって、受信環境が異なることが想定できる。このため、再送信装置を使用する場合には、様々な受信強度下においても電波法に準拠する再送信レベルに制御する必要が生じる。
【００１４】
ここで、特許文献１には、外部アンテナに給電ケーブルを介して接続されたピックアップアンテナを、携帯無線電話機の内蔵アンテナに電磁結合させることによって、移動に伴なう指向性及び送受信電界強度の変化による不安定通話を改善するようにした構成が開示されている。
【００１５】
しかしながら、この特許文献１は、携帯無線電話機における通話の安定を図るようにしたものであって、衛星デジタル放送を受信する携帯型の受信装置で、特にクレードルに装着することを考慮した上での受信状態の安定化を図ることについては何らの記載もなされていないものである。
【特許文献１】実開平６−４８２０７号公報
【発明の開示】
【発明が解決しようとする課題】
【００１６】
そこで、この発明は上記事情を考慮してなされたもので、携帯型の放送受信装置に対して受信状態の安定化を図り得るとともに、小型化を促進して実用化に好適し得るクレードル、高周波受信システム及び高周波受信方法を提供することを目的とする。
【課題を解決するための手段】
【００１７】
この発明に係るクレードルは、高周波信号を受信する第１及び第２のコネクタと、この第１及び第２のコネクタで受信された高周波信号をそれぞれレベル制御する第１及び第２のレベル制御部と、この第1及び第２のレベル制御部でレベル制御された高周波信号をそれぞれ輻射する第１及び第２の輻射部と、映像信号を受信するための露出された映像入力端子と、この映像入力端子に入力された映像信号に所定の信号処理を施す信号処理部と、この信号処理部で処理された映像信号を出力するための映像出力端子と、電源電力を受けるための電源入力端子と、この電源入力端子に供給された電源電力に基づいて第１及び第２のレベル制御部、第１及び第２の輻射部及び信号処理部に供給する電力を生成する電源部と、この電源部で生成された電力を出力するための露出された電源出力端子と、この電源出力端子における電流の有無に基づいて、本体機器の装着の有無を検出する検出手段と、この検出手段により本体機器が装着されていることが検出された状態で、第１及び第２のレベル制御部に対して高周波信号を第１のレベルにレベル制御させ、検出手段により本体機器が装着されていないことが検出された状態で、第１及び第２のレベル制御部に対して高周波信号を第１のレベルよりも高い第２のレベルにレベル制御させるように制御する制御手段とを備えるようにしたものである。
【００１８】
また、この発明に係る高周波受信システムは、高周波信号を受信する第１及び第２のコネクタと、この第１及び第２のコネクタで受信された高周波信号をそれぞれレベル制御する第１及び第２のレベル制御部と、この第1及び第２のレベル制御部でレベル制御された高周波信号をそれぞれ輻射する第１及び第２の輻射部と、映像信号を受信するための露出された映像入力端子と、この映像入力端子に入力された映像信号に所定の信号処理を施す第１の信号処理部と、この第１の信号処理部で処理された映像信号を出力するための第１の映像出力端子と、電源電力を受けるための電源入力端子と、この電源入力端子に供給された電源電力に基づいて第１及び第２のレベル制御部、第１及び第２の輻射部及び第１の信号処理部に供給する電力を生成する第１の電源部と、この第１の電源部で生成された電力を出力するための露出された電源出力端子と、この電源出力端子における電流の有無に基づいて、高周波受信装置の装着の有無を検出する検出手段と、この検出手段により高周波受信装置が装着されていることが検出された状態で、第１及び第２のレベル制御部に対して高周波信号を第１のレベルにレベル制御させ、検出手段により高周波受信装置が装着されていないことが検出された状態で、第１及び第２のレベル制御部に対して高周波信号を第１のレベルよりも高い第２のレベルにレベル制御させるように制御する制御手段とを有するクレードルと；第１及び第２の輻射部から輻射された高周波信号をそれぞれ受信する第１及び第２のアンテナと、この第１及び第２のアンテナで受信された高周波信号から映像信号を復元する第２の信号処理部と、この第２の信号処理部で復元された映像信号を表示する表示部と、映像入力端子に接触され第２の信号処理部で復元された映像信号を映像入力端子に出力するための露出された第２の映像出力端子と、電源出力端子に接触されて電源電力を受けるための露出された電源入力端子と、この電源入力端子に供給された電源電力に基づいて第２の信号処理部及び表示部に供給する電力を生成する第２の電源部とを有する高周波受信装置とを備えるようにしたものである。
【００１９】
また、この発明に係る高周波受信方法は、クレードルが、第１及び第２のコネクタで受信した高周波信号をそれぞれレベル制御して輻射する工程と、高周波受信装置が、クレードルが輻射した高周波信号をそれぞれ受信して映像信号を復元し出力する工程と、クレードルが、高周波受信装置が出力した映像信号に所定の信号処理を施して出力する工程と、クレードルが、入力された電源電力に基づいて該クレードルで使用する電力を生成するとともに、高周波受信装置に電力を出力する工程と、クレードルが、高周波受信装置に出力する電流の有無に基づいて、高周波受信装置の装着の有無を検出する工程と、クレードルが、高周波受信装置が装着されていることが検出された状態で、高周波信号を第１のレベルにレベル制御し、高周波受信装置が装着されていないことが検出された状態で、高周波信号を第１のレベルよりも高い第２のレベルにレベル制御する工程とを備えるようにしたものである。
【発明の効果】
【００２０】
上記した発明によれば、クレードルから高周波受信装置に電源電力として供給する電流の有無によって、高周波受信装置が装着状態であるか否かを判別し、高周波受信装置が装着されていることが検出された状態で、クレードルが輻射する高周波信号を第１のレベルに制御し、高周波受信装置が装着されていないことが検出された状態で、クレードルが輻射する高周波信号を第１のレベルよりも高い第２のレベルに制御するようにしたので、受信状態の安定化を図り、小型化を促進して実用化に好適するものとなる。
【発明を実施するための最良の形態】
【００２１】
以下、この発明の実施の形態について、図面を参照して詳細に説明する。まず、図１は、この実施の形態で説明する衛星デジタル放送システムを概略的に示している。
【００２２】
すなわち、放送局１１から送信された放送コンテンツは、衛星１２を介してユーザーの所持する携帯型の放送受信端末１３に受信されることにより再生されて、ユーザーの視聴に供される。
【００２３】
また、この衛星デジタル放送システムでは、衛星１２からの放送電波を、ギャップフィラー１４を介して、例えば屋内や地下等の衛星１２からの放送電波が届かない場所に存在する放送受信端末１３に供給している。
【００２４】
この放送受信端末１３は、それ自体を単体で屋外に持ち出すことにより、衛星１２またはギャップフィラー１４からの放送電波を受信して、その放送コンテンツを再生することができる。
【００２５】
また、この放送受信端末１３は、図２に示すように、家屋１５の内部に設置されたクレードル１６に装着されることにより、衛星１２またはギャップフィラー１４からの放送電波を受信して、その放送コンテンツを再生することができる。
【００２６】
このクレードル１６は、本来、放送受信端末１３を装着して安定に保持する台であり、装着された放送受信端末１３に電力を供給する機能を有するものであるが、この実施の形態では、クレードル１６にさらに新たな機能を搭載させている。
【００２７】
この場合、クレードル１６には、アンテナケーブル１７を介して外部アンテナ１８が接続されている。そして、この外部アンテナ１７は、例えばベランダ１９等の放送電波を良好に受信することができる場所に設置される。
【００２８】
これにより、外部アンテナ１８で受信された放送信号が、アンテナケーブル１７及びクレードル１６を介して放送受信端末１３に供給され、電波の届き難い屋内であっても、安定な受信が可能となる。
【００２９】
この外部アンテナ１８は、図３に示すように、取り付け用の支持柱体１８１を設置し、この支持柱体１８１を、ベランダ１９を構成する複数の支持体１９ａの１つに、所定の取り付け具２０を用いて固定することで、ベランダ１９に取り付けることができる。
【００３０】
なお、外部アンテナ１８は、図４に示すように、家屋１５に設置された窓ガラス２１に取り付けることも可能である。この場合、外部アンテナ１８は、図５に示すように、両面テープ１８２を用いて窓ガラス２１に貼り付けられることにより固定される。
【００３１】
図６は、放送受信端末１３をクレードル１６に装着した状態を正面側から見た斜視図であり、図７は、放送受信端末１３をクレードル１６に装着した状態を背面側から見た斜視図である。
【００３２】
上記放送受信端末１３は、筐体２２を有する。この筐体２２は、映像表示パネル２３を内蔵したカバー筐体２４と本体筐体２５とから構成される。また、カバー筐体２４は、本体筐体２５に対して、可動する機能を持つ構造となっている。
【００３３】
放送受信端末１３において、ユーザーは、チャンネル切り替え、音量調節、データ編集、電源オンオフ等の各ボタン２６を操作することにより、映像表示パネル２３に表示される映像を見ることができる。また、ユーザーは、イヤホン端子２７にイヤホンを接続することで音声も聴取することができる。
【００３４】
また、この放送受信端末１３には、２系統の内部アンテナ２８ａ，２８ｂが備えられている。一方の内部アンテナ２８ａは、本体筐体２５の一側面に向けて配置されている。他方の内部アンテナ２８ｂは、本体筐体２５の天頂面に向けて配置されている。
【００３５】
次に、放送受信端末１３の架台となるクレードル１６には、その上部に放送受信端末１３を装着するための装着部２９が備えられている。そして、このクレードル１６の内部には、主として、電源回路３０、２系統の信号レベル制御部３１ａ，３１ｂ、映像／音声処理回路３２、２系統の輻射部３３ａ，３３ｂ、２系統のスピーカー３４ａ，３４ｂ等が設けられている。
【００３６】
また、クレードル１６には、その背面に、２系統の外部アンテナ接続コネクタ３５ａ，３５ｂ、ＡＣアダプタ接続コネクタ３６、外部電源通電電極３７、映像外部出力端子３８、２系統の音声外部出力端子３９ａ，３９ｂが設けられ、放送受信端末１３を装着する上面に、映像／音声入力電極４０が設けられている。
【００３７】
まず、クレードル１６の装着部２９に放送受信端末１３を装着すると、クレードル１６に設けられている外部電源通電電極３７が、放送受信端末１３の一側面に露出された端子４１に接触する。これにより、クレードル１６内の電源回路３０から放送受信端末１３に電源が供給される。
【００３８】
また、同時に映像／音声入力電極４０も、放送受信端末１３の装着部２９に露出された端子４２に接触する。これにより、放送受信端末１３から出力される映像信号は、映像／音声処理回路３２を通り、クレードル１６に備えられた映像外部出力端子３８から出力される。また、放送受信端末１３から出力される音声信号は、映像／音声処理回路３２を通り、クレードル１６に備えられたスピーカー３４ａ，３４ｂで再生されるとともに、音声外部出力端子３９ａ，３９ｂから出力される。
【００３９】
次に、クレードル１６に設置された２系統の外部アンテナ接続コネクタ３５ａ，３５ｂには、それぞれ、約５ｍから１０ｍ程度の長さのアンテナケーブル１７ａ，１７ｂを介して、増幅器内蔵型の外部アンテナ１８ａ，１８ｂが接続される。このことは、用途に応じて外部アンテナ１８ａ，１８ｂの着脱を可能としている。
【００４０】
そして、外部アンテナ１８ａ，１８ｂで受信された各高周波信号は、それぞれ、クレードル１６内の信号レベル制御部３１ａ，３１ｂに対応的に供給されることにより、放送受信端末１３が受信可能で、かつ、電波法に準拠するレベルに制御される。
【００４１】
その後、信号レベル制御部３１ａ，３１ｂでレベル制御された各高周波信号は、それぞれ、クレードル１６の、放送受信端末１３の内部アンテナ２８ａ，２８ｂに対応する位置に設置された輻射部３３ａ，３３ｂに出力される。
【００４２】
２系統の輻射部３３ａ，３３ｂ内には、それぞれ、パターンアンテナ４３ａ，４３ｂが形成された基板部品４４ａ，４４ｂが備えられており、放送受信端末１３の内部アンテナ２８ａ，２８ｂに向けて高周波信号を輻射可能となっている。
【００４３】
輻射部３３ａ，３３ｂは、放送受信端末１３の内部アンテナ２８ａ，２８ｂへの高周波信号の伝送に対して最大限の効率化が図られており、その配置位置はそれぞれ内部アンテナ２８ａ，２８ｂに近接し、かつ、対向する位置となっている。
【００４４】
また、放送受信端末１３がクレードル１６から取り外された場合には、輻射部３３ａ，３３ｂからの輻射レベルが電波法に準拠する範囲内で大きくなるように、信号レベル制御部３１ａ，３１ｂが動作する。
【００４５】
このことは、放送受信端末１３が、クレードル１６から取り外された状態においても、電波法に準拠する輻射レベルの高周波信号が届く範囲内であれば、輻射部３３ａ，３３ｂで輻射した高周波信号を受信可能として、安定な受信を行なえるようにしたことを意味している。
【００４６】
実際に様々な環境下での使用を想定すると、外部アンテナ１８ａ，１８ｂが受信する高周波信号レベルは常に一定ではなく、無制御では輻射レベルも変動することになる。輻射される高周波信号の電力レベルが大きすぎると、放送受信端末１３への入力レベルが過大となり、システムが飽和し機能しなくなる。また、輻射される高周波信号の電力レベルが小さすぎると、放送受信端末１３への入力レベルが不足し受信不能となる。以上のことを考慮して輻射部３３ａ，３３ｂからの輻射レベルを制御する必要がある。
【００４７】
さらに、日本では法律により妨害電波と成り得る電波の輻射を規制する制度があり、定められた電界強度を超えての電波輻射は禁止されている。このため、信号レベル制御部３１ａ，３１ｂには、自動可変減衰制御回路、または、自動可変増幅制御回路等が内蔵され、放送受信端末１３が受信可能な輻射レベルに制御し、さらに、電波法施行規則第６条「免許を要しない無線局」に準拠するような機能を備えている。
【００４８】
以上のような構成により、放送受信端末１３が、弱電界環境下においても安定した高周波信号を得ることができる。また、外部からの電源供給、映像信号及び音声信号の外部出力、簡易中継局の構築等、放送受信端末１３に各種の付加機能を与える装置を構成することができる。
【００４９】
図８は、外部アンテナ１８ａ，１８ｂ、クレードル１６及び放送受信端末１３の回路構成を示している。図８において、増幅器内蔵型の外部アンテナ１８ａ，１８ｂにより受信した高周波信号は、それぞれ、アンテナケーブル１７ａ，１７ｂを通り、外部アンテナ接続コネクタ３５ａ，３５ｂを介してクレードル１６内の信号レベル制御部３１ａ，３１ｂに供給される。
【００５０】
ここで、信号レベル制御部３１ａ，３１ｂは、それぞれ、輻射部３３ａ，３３ｂから出力される輻射信号のレベルを、放送受信端末１３が受信可能で、かつ、電波法に準拠したレベルになるようにレベル制御し、輻射部３３ａ，３３ｂに出力している。
【００５１】
輻射部３３ａ，３３ｂは、それぞれ、放送受信端末１３の内部アンテナ２８ａ，２８ｂに近接、かつ、対向するように配置され、効率良く放送受信端末１３に高周波信号を供給している。
【００５２】
これらの回路は、それぞれが２系統ずつ備えられ、また、外部アンテナ１８ａ，１８ｂ及びアンテナケーブル１７ａ，１７ｂは、外部アンテナ接続コネクタ３５ａ，３５ｂにより着脱可能となっている。
【００５３】
また、ＡＣアダプタ４５からの商用電源は、ＡＣアダプタ接続コネクタ３６、電源回路３０、外部電源通電電極３７及び端子４１を介して、放送受信端末１３内の電源部４６に供給され、放送受信端末１３に電力供給が行なわれる。
【００５４】
さらに、放送受信端末１３が、その内部アンテナ２８ａ，２８ｂで受信した高周波信号は、高周波信号処理部４７により選局等の処理が施された後、映像／音声信号処理部４８により映像信号及び音声信号に復元される。
【００５５】
そして、この映像／音声信号処理部４８で復元された映像信号は、端子４２及びクレードル１６の映像／音声入力電極４０を介して映像／音声処理回路３２に供給された後、映像外部出力端子３８から出力される。
【００５６】
また、映像／音声信号処理部４８で復元された音声信号も、端子４２及びクレードル１６の映像／音声入力電極４０を介して映像／音声処理回路３２に供給された後、スピーカー３４ａ，３４ｂで再生されるとともに、音声外部出力端子３９ａ，３９ｂから出力される。
【００５７】
放送受信端末１３がクレードル１６から取り外されると、電源回路３０と電源部４６との接続が遮断され、電源回路３０から電源部４６への電力供給が停止され、外部電源通電電極３７に電流が流れなくなる。このことから、電源回路３０は、放送受信端末１３が取り外されたことを検知し、信号レベル制御部３１ａ，３１ｂを、輻射部３３ａ，３３ｂの輻射レベルを増幅させるように制御する。
【００５８】
すなわち、電源回路３０は、放送受信端末１３がクレードル１６に装着されている状態では、信号処理システムが飽和しないように輻射レベルを抑える効果を成し、放送受信端末１３がクレードル１６から取り外されると、空間の伝搬損失を補うように電波法に準拠する範囲内で輻射レベルを高くするように制御を行なっている。
【００５９】
このように輻射する信号レベルを大きくすることにより、ユーザーは、放送受信端末１３を屋内で移動しながら使用することや、輻射部３３ａ，３３ｂから出力される信号を受信できる範囲内であれば、どこでも視聴が可能となる。
【００６０】
図９は、放送受信端末１３がクレードル１６に装着された状態における、放送受信端末１３の内部アンテナ２８ａ，２８ｂと、クレードル１６の輻射部３３ａ，３３ｂの、特にパターンアンテナ４３ａ，４３ｂが形成された基板部品４４ａ，４４ｂとの位置関係を示している。
【００６１】
すなわち、内部アンテナ２８ａ，２８ｂと基板部品４４ａ，４４ｂとは、所定の間隔を開けて、相互に重なり合うように面対向されている。これにより、基板部品４４ａ，４４ｂのパターンアンテナ４３ａ，４３ｂから輻射される高周波信号が、それぞれ、対応する内部アンテナ２８ａ，２８ｂに効率的に受信されるようになる。
【００６２】
なお、内部アンテナ２８ａ，２８ｂと基板部品４４ａ，４４ｂとは、図１０に示すように、その間隔を近接させて、相互に重なり合うように面対向させるようにしてもよいものである。
【００６３】
また、内部アンテナ２８ａ，２８ｂと基板部品４４ａ，４４ｂとは、図１１に示すように、所定の間隔を開けて、その一部が相互に重なり合うように面対向させるようにしてもよいものである。
【００６４】
さらに、内部アンテナ２８ａ，２８ｂと基板部品４４ａ，４４ｂとは、図１２に示すように、面対向しないように、例えば互いの面がほぼ直交する方向を向くように設置させるようにしてもよいものである。
【００６５】
なお、内部アンテナ２８ａ，２８ｂと基板部品４４ａ，４４ｂとの位置関係としては、図９〜図１２に示したもののみに限らず、これらを組み合わせた配置や、その他、高周波信号の伝達が可能な配置であればよいことはもちろんである。
【００６６】
また、上記した実施の形態では、クレードル１６に対して放送受信端末１３が装着されているか否かを、クレードル１６の電源回路３０が放送受信端末１３の電源部４６に電力供給しているか否かによって判別している。
【００６７】
しかしながら、クレードル１６に対して放送受信端末１３が装着されているか否かの判別は、これに限るものではない。例えば、図１３に示すように、クレードル１６の装着部２９にスイッチ４８を設置し、このスイッチ４８が放送受信端末１３の装着時にオンされ、取り外されたときにオフされることにより、放送受信端末１３が装着されているか否かの判別を行なうようにしてもよいものである。
【００６８】
図１４は、上記した実施の形態の変形例を示している。図１４において、図７と同一部分に同一符号を付して説明すると、クレードル１６に内蔵されていた信号レベル制御部３１ａ，３１ｂを、それぞれ対応するアンテナケーブル１７ａ，１７ｂの途中に介在させることにより、信号レベル制御部３１ａ，３１ｂをクレードル１６の外部に備えるようにしたものである。
【００６９】
すなわち、信号レベル制御部３１ａ，３１ｂは、外部アンテナ１８ａ，１８ｂを使用する場合、つまり、外部アンテナ１８ａ，１８ｂが外部アンテナ接続コネクタ３５ａ，３５ｂに接続されているときに必要となるものであるから、外部アンテナ１８ａ，１８ｂを必要としない場合には、クレードル１６から取り外してクレードル１６の構成を簡易化するようにしている。
【００７０】
これにより、極度の弱電界でない状況下において、外部アンテナ１８ａ，１８ｂを必要としないユーザーは、外部電源機能と映像／音声外部出力機能とクレードル１６という、より単純な付加機能のみを追加した放送受信端末１３を構成することができる。
【００７１】
また、製品市場において、外部アンテナ１８ａ，１８ｂ、信号レベル制御部３１ａ，３１ｂ及びアンテナケーブル１７ａ，１７ｂを、オプショナルパーツとして設定することにより、顧客の仕様選択の自由度を拡げることができる。
【００７２】
また、図１５は、上記した実施の形態の他の変形例を示している。図１５において、図１４と同一部分に同一符号を付して説明すると、アンテナケーブル１７ａ，１７ｂの途中に介在された信号レベル制御部３１ａ，３１ｂに、そのレベルをユーザーが手動制御するための操作子４９ａ，４９ｂを設けるようにしたものである。
【００７３】
先に述べた実施の形態においては、輻射部３３ａ，３３ｂからの輻射信号レベルを検出し、自動可変減衰制御回路、または、自動可変増幅制御回路を用いてレベル制御を自動的に行なう例を挙げてきた。これに対し、図１５に示す変形例では、ユーザーが、放送受信端末１３に表示される映像、または、放送受信端末１３から出力される音声を確認しながら、ユーザー自身が手動で信号レベルを制御するものである。
【００７４】
図１５において、一方のアンテナケーブル１７ａに接続された信号レベル制御部３１ａは、その操作子４９ａをスライド調整タイプレバーとした例を示している。また、他方のアンテナケーブル１７ｂに接続された信号レベル制御部３１ｂは、その操作子４９ｂを回転式のレベル可変つまみとした例を示している。
【００７５】
いずれの信号レベル制御部３１ａ，３１ｂにおいても、操作子４９ａ，４９ｂを操作することによって、内蔵される回路の増幅度、または、減衰度を可変することができる。そして、これらのレベル調整方式は、レベルを無段階可変にする方式でも構わないが、ユーザーの使用状況等に合わせて増幅度、減衰度を予め設定した固定、または、半固定のレベル制御方式とすることも提案できる。
【００７６】
このようなレベル制御を手動とすることにより、外部アンテナ１８ａ，１８ｂを用いるシステムの開発において、回路の単純化を図ることができ、そいてはコストダウンを実現することが可能となる。
【００７７】
また、この手動によるレベル制御は、外部アンテナ１８ａ，１８ｂから輻射部３３ａ，３３ｂまでが、全てクレードル１６に対して外付け構成である場合にも適用できる。さらに、信号レベル制御部３１ａ，３１ｂをクレードル１６に内蔵した形態においても、クレードル１６にレベル調整用の操作子を設置することで応用が可能である。
【００７８】
図１６は、上記した実施の形態のさらに他の変形例を示している。図１６において、図６と同一部分に同一符号を付して説明すると、放送受信端末１３のそれぞれの内部アンテナ２８ａ，２８ｂの近傍に、外部アンテナ１８ａ，１８ｂがアンテナケーブル１７ａ，１７ｂを介して接続された輻射部５０ａ，５０ｂを配置して、内部アンテナ２８ａ，２８ｂに高周波信号を供給するようにしたものである。
【００７９】
輻射部５０ａ，５０ｂの内部には、それぞれ、パターンアンテナ５１ａ，５１ｂが形成された基板部品５２ａ，５２ｂが内蔵されており、このパターンアンテナ５１ａ，５１ｂから高周波信号が輻射される。そして、この輻射部５０ａ，５０ｂの入力側には、高周波信号のレベルを制御する信号レベル制御部５３ａ，５３ｂが接続されている。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、衛星デジタル放送システムの概略を説明するために示す図。
【図２】同実施の形態における放送受信端末と外部アンテナとの家屋内での設置状態を説明するために示す図。
【図３】同実施の形態における外部アンテナの取り付けの一例を説明するために示す斜視図。
【図４】同実施の形態における放送受信端末と外部アンテナとの家屋内での設置状態の他の例を説明するために示す図。
【図５】同実施の形態における外部アンテナの取り付けの他の例を説明するために示す斜視図。
【図６】同実施の形態における放送受信端末をクレードルに装着したところを正面側から見た状態を説明するために示す斜視図。
【図７】同実施の形態における放送受信端末をクレードルに装着したところを背面側から見た状態を説明するために示す斜視図。
【図８】同実施の形態における外部アンテナ、クレードル及び放送受信端末の詳細を説明するために示すブロック構成図。
【図９】同実施の形態における放送受信端末の内部アンテナとクレードルの輻射部との位置関係の一例を説明するために示す図。
【図１０】同実施の形態における放送受信端末の内部アンテナとクレードルの輻射部との位置関係の他の例を説明するために示す図。
【図１１】同実施の形態における放送受信端末の内部アンテナとクレードルの輻射部との位置関係のさらに他の例を説明するために示す図。
【図１２】同実施の形態における放送受信端末の内部アンテナとクレードルの輻射部との位置関係のさらに他の例を説明するために示す図。
【図１３】同実施の形態におけるクレードルに放送受信端末が装着されているか否かの判別手段の変形例を説明するために示す斜視図。
【図１４】同実施の形態における変形例を説明するために示す斜視図。
【図１５】同実施の形態における他の変形例を説明するために示す斜視図。
【図１６】同実施の形態におけるさらに他の変形例を説明するために示す斜視図。
【符号の説明】
【００８２】
１１…放送局、１２…衛星、１３…放送受信端末、１４…ギャップフィラー、１５…家屋、１６…クレードル、１７…アンテナケーブル、１８…外部アンテナ、１９…ベランダ、２０…取り付け具、２１…窓ガラス、２２…筐体、２３…映像表示パネル、２４…カバー筐体、２５…本体筐体、２６…ボタン、２７…イヤホン端子、２８ａ，２８ｂ…内部アンテナ、２９…装着部、３０…電源回路、３１ａ，３１ｂ…信号レベル制御部、３２…映像／音声処理回路、３３ａ，３３ｂ…輻射部、３４ａ，３４ｂ…スピーカー、３５ａ，３５ｂ…外部アンテナ接続コネクタ、３６…ＡＣアダプタ接続コネクタ、３７…外部電源通電電極、３８…映像外部出力端子、３９ａ，３９ｂ…音声外部出力端子、４０…映像／音声入力電極、４１，４２…端子、４３ａ，４３ｂ…パターンアンテナ、４４ａ，４４ｂ…基板部品、４５…ＡＣアダプタ、４６…電源部、４７…高周波信号処理部、４８…映像／音声信号処理部、４９ａ，４９ｂ…操作子、５０ａ，５０ｂ…輻射部、５１ａ，５１ｂ…パターンアンテナ、５２ａ，５２ｂ…基板部品、５３ａ，５３ｂ…信号レベル制御部。
【図１】
2005109676.tif 000003
【図２】
2005109676.tif 000004
【図３】
2005109676.tif 000005
【図４】
2005109676.tif 000006
【図５】
2005109676.tif 000007
【図６】
2005109676.tif 000008
【図７】
2005109676.tif 000009
【図８】
2005109676.tif 000010
【図９】
2005109676.tif 000011
【図１０】
2005109676.tif 000012
【図１１】
2005109676.tif 000013
【図１２】
2005109676.tif 000014
【図１３】
2005109676.tif 000015
【図１４】
2005109676.tif 000016
【図１５】
2005109676.tif 000017
【図１６】
2005109676.tif 000018